(57)【要約】【課題】容易に取付けが可能であり、コネクタを確実に保護可能とする。【解決手段】開閉可能であり、接続されたコネクタ５２を収納する収納部１と、収納部１のケーブル５１方向両端面に設けられ、ケーブル５１を挿通可能とする開口１１と、収納部１のケーブル５１方向両端側に、外周に沿って設けられた溝１３と、溝１３に嵌合するＯリング２とを備え、Ｏリング２は、接続前のケーブル５１にそれぞれ挿通され、当該ケーブル５１のコネクタ５２が接続されて収納部１に収納された後に溝１３に嵌合される。【選択図】図１
2015103350.tif 000002
【特許請求の範囲】
【請求項１】
ケーブル同士を接続するコネクタを保護するコネクタカバーにおいて、
開閉可能であり、接続された前記コネクタを収納する収納部と、
前記収納部の前記ケーブル方向両端面に設けられ、前記ケーブルを挿通可能とする開口と、
前記収納部の前記ケーブル方向両端側に、外周に沿って設けられた溝と、
前記溝に嵌合するＯリングとを備え、
前記Ｏリングは、接続前の前記ケーブルにそれぞれ挿通され、当該ケーブルの前記コネクタが接続されて前記収納部に収納された後に前記溝に嵌合される
ことを特徴とするコネクタカバー。
【請求項２】
前記収納部の開閉部分に設けられ、当該開閉部分から前記コネクタの外部への露出を防止する防護壁を備えた
ことを特徴とする請求項１記載のコネクタカバー。
【請求項３】
前記収納部の前記溝より外側に設けられ、前記Ｏリングの着脱を容易とする切り欠き部を備えた
ことを特徴とする請求項１又は請求項２記載のコネクタカバー。
【発明の詳細な説明】
【技術分野】
【０００１】
この発明は、ケーブル同士を接続するコネクタを保護するコネクタカバーに関するものである。
【背景技術】
【０００２】
例えば溶接現場におけるスパッタ等、ケーブルのコネクタへのダメージが想定される場所では、コネクタの保護が必要になる。そこで、従来から、ケーブルのコネクタを保護するコネクタカバーが用いられている（例えば特許文献１参照）。この特許文献１に開示された従来のコネクタカバーは、ケーブル側から挿通してコネクタに被せるよう構成されている。
【先行技術文献】
【特許文献】
【０００３】
【特許文献１】実開平０６−０５６９８１号公報
【発明の概要】
【発明が解決しようとする課題】
【０００４】
上述したように、特許文献１に開示された従来のコネクタカバーは、ケーブル側から挿通してコネクタに被せるよう構成されている。しかしながら、実際の現場ではケーブルの他端側にはセンサ類が既に接続されている場合が多く、コネクタカバーを、ケーブル側から挿通することができず、コネクタ側から挿通する必要がある。この場合、コネクタカバーのケーブル側である小径の開口から無理矢理コネクタを挿通させることになり、コネクタカバーの取付け作業が非常に煩雑であるという課題がある。
また、スパッタに対して耐熱性を有するスパッタシートをコネクタに巻きつけてインシロックにより固定することで、当該コネクタを保護する手法もある。しかしながら、この取付けは作業者の手で行われるため、ばらつきが生じ、コネクタがスパッタシートから露出してしまう恐れがあるという課題がある。
【０００５】
この発明は、上記のような課題を解決するためになされたもので、容易に取付けが可能であり、コネクタを確実に保護可能なコネクタカバーを提供することを目的としている。
【課題を解決するための手段】
【０００６】
この発明に係るコネクタカバーは、開閉可能であり、接続されたコネクタを収納する収納部と、収納部のケーブル方向両端面に設けられ、ケーブルを挿通可能とする開口と、収納部のケーブル方向両端側に、外周に沿って設けられた溝と、溝に嵌合するＯリングとを備え、Ｏリングは、接続前のケーブルにそれぞれ挿通され、当該ケーブルのコネクタが接続されて収納部に収納された後に溝に嵌合されるものである。
【発明の効果】
【０００７】
この発明によれば、上記のように構成したので、容易に取付けが可能であり、コネクタを確実に保護可能となる。
【図面の簡単な説明】
【０００８】
【図１】この発明の実施の形態１に係るコネクタカバーの構成を示す斜視図である（コネクタを収納した状態）。
【図２】図１のケーブル方向断面図である。
【図３】この発明の実施の形態１に係るコネクタカバーの構成を示す斜視図である（収納部を開いた状態）。
【図４】この発明の実施の形態１に係るコネクタカバーの取付け手順を示す斜視図である。
【発明を実施するための形態】
【０００９】
以下、この発明の実施の形態について図面を参照しながら詳細に説明する。
実施の形態１．
図１〜３はこの発明の実施の形態１に係るコネクタカバーの構成を示す図である。
コネクタカバーは、ケーブル５１同士を接続するコネクタ５２を保護するものである。このコネクタカバーは、図１〜３に示すように、収納部１及び２つのＯリング２から構成されている。なお、コネクタカバーは、スパッタに対して耐熱性を有する樹脂により形成される。
【００１０】
収納部１は、接続されたコネクタ５２を収納可能な筒状部材である。この収納部１のケーブル５１方向両端面には、コネクタ５２は挿通不可であり、ケーブル５１は挿通可能な大きさの開口１１が設けられている。また、収納部１は、ケーブル５１方向両端に沿って接続部１２を介して開閉可能に構成されている。
また、収納部１のケーブル５１方向両端側には、外周に沿って溝１３が設けられている。この溝１３はＯリング２が嵌合される溝１３である。また、収納部１の開閉部分には、ケーブル５１方向に沿って防護壁１４が設けられている。この防護壁１４は、コネクタカバーがコネクタ５２を収納した後、収納部１が変形して開閉部分に若干の隙間が生じた場合であっても、開閉部分からコネクタ５２が外部に露出することを防止するためのものである。また、収納部１の溝１３より外側には、切り欠き部１５が設けられている。この切り欠き部１５は、Ｏリング２の着脱を容易とするためのものである。
【００１１】
Ｏリング２は、収納部１の溝１３に嵌合するものである。このＯリング２は、接続前のケーブル５１にそれぞれ挿通され、当該ケーブル５１のコネクタ５２が接続されて収納部１に収納された後に溝１３に嵌合されることで、収納部１を固定する。
【００１２】
次に、上記のように構成されたコネクタカバーのケーブル５１のコネクタ５２への取付け手順について、図４を参照しながら説明する。
ケーブル５１のコネクタ５２にコネクタカバーを取付ける場合、まず、図４（ａ），（ｂ）に示すように、両ケーブル５１のコネクタ５２を接続する前に、Ｏリング２をそれぞれのケーブル５１に通す。次いで、図４（ｃ）に示すように、両ケーブル５１のコネクタ５２を接続する。次いで、図４（ｄ）に示すように、コネクタカバーの収納部１を開き、ケーブル５１のコネクタ５２を収納する。次いで、収納部１を閉じて、ケーブル５１のコネクタ５２を挟込む。次いで、図４（ｄ），（ｅ）に示すように、ケーブル５１に通してあるＯリング２を収納部１の溝１３にそれぞれ嵌合させる。これにより、ケーブル５１のコネクタ５２を収納した状態で収納部１が固定される。
なお、コネクタカバーを取外す場合には、Ｏリング２を溝１３から外して、収納部１を開いてコネクタ５２を取出せばよい。
【００１３】
以上のように、この実施の形態１によれば、コネクタ５２を収納する開閉式の収納部１と、収納部１を固定するＯリング２とを備えるように構成したので、容易に取付け・取り外しが可能であり、コネクタ５２を確実に保護可能となる。すなわち、特許文献１の構成に対して、ケーブル５１にセンサ類が接続された状態であっても、容易にコネクタカバーの取付け・取外しを行うことができる。また、スパッタシートを用いた手法に対して、作業者によるばらつきが生じることはないため、確実にコネクタ５２を保護することが可能である。
【００１４】
また、収納部１の開閉部分に防護壁１４を設けたので、コネクタカバーがコネクタ５２を収納した後、収納部１が変形して開閉部分に若干の隙間が生じた場合であっても、コネクタ５２の露出を防止することができる。
また、収納部１の溝１３より外側に切り欠き部１５を設けたので、Ｏリング２の着脱が容易となる。また、Ｏリング２はケーブル５１に通されているため、部品の紛失のリスクは低い。
【００１５】
なお、本願発明はその発明の範囲内において、実施の形態の任意の構成要素の変形、もしくは実施の形態の任意の構成要素の省略が可能である。
【符号の説明】
【００１６】
１  収納部
２  Ｏリング
１１  開口
１２  接続部
１３  溝
１４  防護壁
１５  切り欠き部
５１  ケーブル
５２  コネクタ
【図１】
2015103350.tif 000003
【図２】
2015103350.tif 000004
【図３】
2015103350.tif 000005
【図４】
2015103350.tif 000006